(57)【要約】【目的】長時間に渡って好みの発射強度で遊技を行っていても手の疲れを防止することができるとともに、無駄球を大幅に低減することができるよう、遊技機のハンドルを固定するための構造を有する発射操作装置を提供する。【構成】遊技機の前面側にグリップを設けるとともに、このグリップ本体の後面側に回動自在に装着した打球速度調節レバーと、遊技者が前記打球速度調節レバーから手を離すと前記打球速度調節レバーが初期位置側まで戻る方向に付勢力が働く戻りスプリングを有する打球速度調節機構と、前記打球速度調節レバーの回動を打球速度調節機構に伝達するハンドル軸と、を備え、一方向クラッチを介装して前記ハンドル軸の回動を打球速度調節機構に伝達させることによって打球速度調節レバーの回動状態の位置固定を可能とした構成。【選択図】図１
2006014907.tif 000002
【特許請求の範囲】
【請求項１】
遊技機の前面側にグリップを設けるとともに、このグリップ本体の後面側に回動自在に装着した打球速度調節レバーと、遊技者が前記打球速度調節レバーから手を離すと前記打球速度調節レバーが初期位置側まで戻る方向に付勢力が働く戻りスプリングを有する打球速度調節機構と、前記打球速度調節レバーの回動を打球速度調節機構に伝達するハンドル軸と、を備えた遊技機の発射操作装置において、一方向クラッチを介装してハンドル軸の回動を打球速度調節機構に伝達させることにより打球速度調節レバーの回動状態の位置固定を可能としたことを特徴とする発射操作装置。
【発明の詳細な説明】
【技術分野】
【０００１】
本発明は、パチンコ機等の遊技機において発射装置が発射する打球の飛距離を調整するための遊技機の発射操作装置に関するものである。
【背景技術】
【０００２】
パチンコ機等の遊技機には、発射装置が弾発する打球の発射速度を調整するための発射操作装置が、当該遊技機の前面側に設けられており、一般に、ハンドルと呼ばれている。ハンドルは、遊技機の前面側に固定したグリップ本体と、このグリップ本体に回動自在に装着されている打球速度調節レバーと、を主要な構成部材としており、打球速度調節レバーを所定角度まで回動すると、その回動が打球速度調節機構に伝達されることによって発射強度が調整されるようになっている。
【０００３】
また、打球速度調節機構にはスプリングが内蔵されており、遊技者がハンドルから手を離すと、この戻りスプリングの付勢力によって、打球速度調節レバーが元の位置（初期位置）側まで戻るようになっている。
【０００４】
ところで、長時間遊技を行っている遊技者は、ハンドルを握っている手が疲れた場合等において、ハンドルから手を離す場合がある。しかし、従来のハンドルは、僅かな間でも打球速度調節レバーから手を離すと、戻りスプリングの付勢力によって打球速度調節レバーが初期位置まで戻ってしまい、発射速度が変化してしまう。
【０００５】
このため、従来のハンドルは、遊技者にとって好みの発射速度を保持するためには、長時間の間、打球速度調節レバーを一定の角度まで回動し続けなければならないので、手が疲れてしまうという課題がある。また、打球速度調節レバーから手を離してしまうと、最適な発射速度に達するまで、多くの無駄球が発生してしまうという課題もある。この課題を解決するため特許文献１には一定時間のみ打球速度調節レバーを固定する発明が開示されている。
【０００６】
しかしながら打球速度調節レバーが初期位置に戻るのを阻止するために、打球速度調節レバーとグリップの間にコインや厚紙などを挟んで打球速度調節レバーを固定する遊技者が多数を占めており、現在では遊技店側が予め厚紙を用意している場合も多くある。しかしこの方法で打球速度調節レバーを固定するとハンドル部分が壊れやすくなってしまうという問題がある。又、コイン等が落ちてしまうと、たちまち打球速度調節レバーはもとの位置に戻ってしまうため、確実に固定できる装置が期待されていた。
【０００７】
【特許文献１】特開２００３−１９０４３２
【発明の開示】
【発明が解決しようとする課題】
【０００８】
本発明は上記事情に鑑みてなされたもので、長時間に渡って好みの発射速度で遊技を行っていても手の疲れを防止することができるとともに、無駄球を大幅に低減することができるよう、遊技機のハンドルを固定するための構造を有する発射操作装置を提供することを目的としている。
【課題を解決するための手段】
【０００９】
遊技機の前面側にグリップを設けるとともに、このグリップ本体の後面側に回動自在に装着した打球速度調節レバーと、遊技者が前記打球速度調節レバーから手を離すと前記打球速度調節レバーが初期位置側まで戻る方向に付勢力が働く戻りスプリングを有する打球速度調節機構と、前記打球速度調節レバーの回動を打球速度調節機構に伝達するハンドル軸と、を備えた遊技機の発射操作装置において、一方向クラッチを介装してハンドル軸の回動を打球速度調節機構に伝達させることにより、打球速度調節レバーの回動状態の位置固定を可能としたことを特徴とする発射操作装置を提供することによって前記課題を解決する。
【発明の効果】
【００１０】
本発明の遊技機の発射操作装置によると、打球速度調節レバーが回動した状態を固定することができるので、遊技者が好みの発射速度を維持することができる。又、今までハンドルをコインや厚紙によって固定していた煩わしさがなくなり、快適な遊技を楽しむこともでき、さらにはハンドル部分を傷めることもなくなる。
【００１１】
ハンドル軸を遊技機側に押すことによってワンタッチで発射速度を初期設定に戻すことができ、又、ハンドルが固定されているか否かが明瞭に視認できるので、仮に遊技者がハンドルを固定させたまま遊技を終了しても、次に座った者が、ハンドルが固定されているのにすぐに気付くことができ、無駄球を減らすことができる。又、店内従業員が巡回中に無人の状態で固定されている遊技機を発見することにより、打球速度調節レバーを容易に初期位置に戻すことができる。
【発明を実施するための最良の形態】
【００１２】
以下、本発明の遊技機の発射操作装置の一実施形態について図面を参照して説明する。図６は遊技機としてのパチンコ機１を示す正面図であり、外枠２に蝶着した前面枠３に、下皿４と、打球の飛距離を調整する発射操作装置２０（以下、ハンドル２０と称する。）と、上皿５と、ガラスを装着したガラス枠６とが設けられている。また、ガラス枠６の後方には、図示しない遊技盤が配置されており、打球アーム２６から弾発された打球が、遊技盤上で流下するようになっている。
【００１３】
前述した打球アーム２６は、打球速度調節機構によって駆動が調節されており、電気的駆動源、例えばステッピングモータを駆動源として、定められた数（例えば、１分間に１００発）の球を遊技盤上に発射するようになっている。そして、ハンドル２０は、図４に示すように、前面枠６に取り付けた打球速度調節レバー１１と、グリップ１４と、打球速度調節レバー１１の回転を伝えるためのハンドル軸１３と、グリップ１４の中央部にあって前記ハンドル軸１３と連結しているレバー戻りボタン１５と、打球速度調節レバー１１及びハンドル軸の回転を打球アーム２６に伝えるための一方向クラッチ部材１９とを主要な構成部材としている。
【００１４】
図３及び図４を用いて打球速度調節レバー１１が打球速度調節機構に回動を伝達する機構を説明する。図３に示すように打球速度調節レバー１１が回動するとハンドル軸１３が回動し、図４に示すように一方向クラッチ部材１９を介して歯車１２が回動する。すると歯車１２から歯車２４に回動が伝達される。歯車２４は打球速度調節機構を構成している発射速度を可変にするための戻りスプリング２５と連結されており、この付勢力が打球アーム２６に伝達するように配置されている。
【００１５】
打球速度調節レバー１１が打球速度調節機構に回動を伝達する機構は従来から使用されている動力伝達機構を使用していればよいが、打球速度調節レバー１１が打球速度調節機構に回動を伝達しても逆方向の回動は伝達されず、回動が固定されるよう、一方向クラッチ等の一方向のみの運動を伝達する機構を用いて構成されていればよい。
【００１６】
このように一方向クラッチ３７を介してハンドル軸１３の回動は歯車１２に伝達されているので、打球速度調節レバー１１から手を離しても初期位置に戻ることなく、一定の打球速度を維持し続ける。
【００１７】
次に、打球速度調節レバー１１の固定を解除するべく、ハンドル軸１３が軸方向に変動するのに伴って前記一方向クラッチ３７を解除するように構成されているクラッチ解除機構について説明する。
【００１８】
前記一方向クラッチ３７を構成する少なくとも一方の部材と連動するように配置されているクラッチ解除機構を該ハンドル軸１３の軸方向の変位に伴って変動させることにより、前記一方向クラッチ３７を解除するように構成されているのが望ましい。
【００１９】
例えば、一方向クラッチ部材部材１９は、ハンドル軸１３に取り付けられており、その内部に一方向ベアリング３６を有する一方向クラッチ３７と、ウェーブワッシャー３８と、クラッチ解除アーム３５からなる。レバー戻りボタン１５を遊技機側の軸方向に押すと、ハンドル軸１３に取り付けられている盤１６が、支点３４を基点にしてアーム３５を押し上げる。図２に示すように、一方向クラッチ３７を構成する部材の少なくとも一方、例えば３７Ａには凸部３３が設けてあり、その凸部３３と連動するようにアーム３５は構成されているので、アーム３５ｂが摩擦部材３９の摩擦によって嵌合している一方向クラッチ３７を解除するべく、一方向クラッチ３７Ａをウェーブワッシャー３８側に押すと、摩擦部材３９によって３７Ａと共に回動していた３７Ｂが開放されて、スプリング２５の付勢力によってハンドル軸１３が回転し、打球速度調節レバー１１とともに初期位置に戻ることとなる。
【実施例１】
【００２０】
次に本発明の実施例を説明する。一方向クラッチ３７はハンドル軸１３に必ずしも取り付けなくても、別部材に取り付けられ、ハンドル軸の回動が一方向クラッチを介して打球速度調節機構に伝達されるように構成されていればよい。例えば図５に示すように、プーリー２３をハンドル軸１３及び歯車１２の固定盤２７を介した反対側にそれぞれ取り付けて、ベルト２８を掛けまわし、ベルト伝導によって打球速度調節レバー１１の回動を打球速度調節機構に伝達することもできる。
【００２１】
この場合、打球速度調節レバー１１が回動するとハンドル軸１３が回動し、前記ハンドル軸１３に設けられたプーリー２３が回転するとともに、ベルト伝導によって歯車１２の反対側に取り付けられたプーリー２３が回転することによって、歯車１２が回転する。すると歯車１２に噛み合っている歯車２４が回転し、上述した打球速度調節機構によって打球速度が調節される。歯車１２は一方向クラッチ部材１９に連結している歯車（図示せず）とも噛みあっているため、打球速度調節レバー１１が初期の位置に戻ることなく、一定の打球速度を維持し続ける。
【００２２】
次に、ハンドルの固定を解除する際の構造について説明する。図２に示すように前記一方向クラッチ３７と連動するようにアーム３５は構成されている。一方向クラッチが取り付けられている固定盤２７には前記ハンドル軸１３の端部が挿入できるよう穴２９が設けられており、該ハンドル軸１３が遊技機側に軸方向に押されると、ハンドル軸の端部が該アーム３５を押し、前記一方向クラッチ３７が解除されるように構成されている。
【図面の簡単な説明】
【００２３】
【図１】一方向クラッチを解除する際の構造図及びその断面図
【図２】一方向クラッチ部材の断面図
【図３】打球速度調節レバーの回動を打球アームに伝達する構造図
【図４】発射操作装置
【図５】ベルト伝導によって打球速度調節レバーの回動を打球アームに伝達する構造図
【図６】遊技機
【符号の説明】
【００２４】
１  パチンコ遊技機
２  外枠
３  前面枠
４  下皿
５  上皿
６  ガラス枠
１１  打球速度調節レバー
１２  歯車
１３  ハンドル軸
１４  グリップ
１５  レバー戻りボタン
１６  固定盤
１９  一方向クラッチ部材
２０  ハンドル
２３  プーリー
２４  歯車
２５  スプリング
２６  打球アーム
２７  固定盤
２８  ベルト
２９  穴
３３  凸部
３４  支点
３５、３５ｂ  クラッチ解除アーム
３６  一方向ベアリング
３７、３７Ａ、３７Ｂ  一方向クラッチ
３８  ウェーブワッシャー
３９  摩擦部材
【図１】
2006014907.tif 000003
【図２】
2006014907.tif 000004
【図３】
2006014907.tif 000005
【図４】
2006014907.tif 000006
【図５】
2006014907.tif 000007
【図６】
2006014907.tif 000008